(57)【要約】【課題】  杖を装飾することができる杖カバーを提供する。【解決手段】  杖カバー１は、一端に第１の開口部３が他端に第１の開口部３の直径より大きい直径を有する第２の開口部４がそれぞれ設けられると共に、第２の開口部４へ繋がる切れ込み部６が設けられ、第１の開口部３が設けられた端部からカバー本体の全長の２／７の距離ほど離れた位置から、第１の開口部３の端部まで順次細くなった、杖を包む布製のカバー本体２と、第２の開口部４の縁に取り付けられて杖を飾り立てる布製のひだ状部材５と、一端に雄型スナップボタン７ａを備えると共に他端に雌型スナップボタン７ｂを備えた、Ｖ字形の切れ込み部６の一方の縁と他方の縁とを係止する、第２の開口部４付近に取り付けられた布製で帯状の係止部材７からなる。【選択図】  図２
2007117100.tif 000002
【特許請求の範囲】
【請求項１】
杖を包む杖カバーであって、
一端に第１の開口部が設けられていると共に他端に第２の開口部が設けられた中空のカバー本体と、
前記第２の開口部の縁に取り付けられた飾り部材を備えると共に、
所定の位置から第１の開口部まで前記カバー本体が順次細くなっている
ことを特徴とする杖カバー。
【請求項２】
前記第２の開口部へ繋がる切れ込み部が前記カバー本体に設けられていると共に、該切れ込み部の一方の縁と他方の縁を係止させる係止部材が前記カバー本体に設けられている
ことを特徴とする請求項１に記載の杖カバー。
【発明の詳細な説明】
【技術分野】
【０００１】
本発明は杖カバーに関する。詳しくは、杖を傘のように見せることによって、外見を気にせずに杖を使えるようにすることができる杖カバーに係るものである。
【背景技術】
【０００２】
杖は、足腰の弱い者にとって、外出時に、これらを地面に突きながら歩くことで歩行の助けとなるものである。しかし、棒状の杖本体に把持部を形成しただけの杖では、杖の利用者が手提げなど小物袋を携行する場合には、杖とは別に小物袋を手で持たなければならないし、屋外で使用した状態で、室内において使用しようとする場合には、杖に付着した泥や砂等を取り除いて綺麗に清拭しなければならないといった不都合があった。
【０００３】
この様な不都合に対して、杖の柄に手提げ等の小物の袋物等を簡単に係止させて携行可能とし、かつ休憩時や立ち上がり時に把持できる握り部を設けると共に、部屋へ上がる時は滑り止めの一部や杖全体を包囲できるカバーで被着する様にした杖が提案されている（例えば、特許文献１参照。）。
【０００４】
図１は、特許文献１に記載の杖を包む従来の杖カバーの概略断面図である。杖カバー１０１で覆われる杖１０５は、杖軸部１０６と、軸部上端に取り付けられた握り部１０７と、軸部下端に取り付けられた滑り止め部材１０８からなる。杖カバー１０１は、一端が開口し他端が閉じられた細長な袋状の杖カバー本体１０２と、カバー本体の閉じた端部に設けられた滑り止め加工部１０３と、カバー本体の開口部付近に取り付けられた、開口部を収縮させる紐１０４からなり、杖１０５は握り部１０７以外を杖カバー１０１によって覆われている。
【０００５】
【特許文献１】特開２００２−３２５６０８号公報
【発明の開示】
【発明が解決しようとする課題】
【０００６】
ところで、上記のように杖は、足腰の弱い者にとって、外出時に歩行の助けとなるものであるが、足腰の弱い者のなかには、外見を気にする者もおり、老いた印象を他人に与えてしまう杖の代わりに、傘等を使って歩いていた。しかし、傘の先端は杖の先端よりも細くて滑りやすく、また、傘は杖に比べて強度が低いので、杖を使う場合と同じ荷重を傘にかけると、傘が曲がってしまうこともあり、杖の代わりとして使うには不都合であった。
【０００７】
なお、特許文献１に記載の杖カバーは、屋外で使っていた杖を屋内でも簡単に使えるようにするものであり、外出時に杖をカバーで覆って杖を装飾するものではなく、更に、下端が閉じられた袋状のカバーなので、外出時に杖を覆って使うと、カバー下端が汚れてしまうと共に外見も装飾されたおしゃれなものであるとは言い難かった。
【０００８】
本発明は、以上の点に鑑みて創案されたものであり、杖を装飾することができる杖カバーを提供することを目的とする。
【課題を解決するための手段】
【０００９】
上記の目的を達成するために、本発明の杖カバーは、一端に第１の開口部が設けられていると共に他端に第２の開口部が設けられた中空のカバー本体と、前記第２の開口部の縁に取り付けられた飾り部材を備えると共に、所定の位置から第１の開口部まで前記カバー本体が順次細くなっている。
【００１０】
ここで、カバー本体の両端に開口部を設けることで、杖の上端と下端がカバー本体から露出し、外出時に杖を地面に突きながら歩いてもカバーを直接地面に接触させずにすむ。また、所定の位置から第１の開口部までカバー本体を順次細くし、第２の開口部の縁に飾り部材を取り付けることで、杖を覆った場合、外見上杖ではなく傘のように見え、杖を使っていても他人に老けた印象を与えない。なお、ここでいう「所定の位置」とは、杖を傘のように見せることができる位置であり、例えば第１の開口部が設けられた端部からカバー本体の全長（一端から他端までの長さ）の２／７の距離ほど離れた地点から、第２の開口部が設けられた端部までの範囲にある位置である。
【発明の効果】
【００１１】
本発明に係る杖カバーは、杖を装飾することができ、外見を気にせず杖を使えるようになる。
【発明を実施するための最良の形態】
【００１２】
以下、本発明の実施の形態について図面を参照しながら説明し、本発明の理解に供する。
【００１３】
図２は、本発明を適用した杖カバーの概略斜視図である。杖カバー１は、一端に第１の開口部３が他端に第２の開口部４がそれぞれ設けられると共に、第２の開口部４へ繋がる切れ込み部６が設けられ、第１の開口部３が設けられた端部からカバー本体の全長の２／７の距離ほど離れた位置から、第１の開口部３の端部まで順次細くなった、杖を包む布製のカバー本体２と、第２の開口部４の縁に取り付けられて杖を飾り立てる布製のひだ状部材５と、一端に雄型スナップボタン７ａを備えると共に他端に雌型スナップボタン７ｂを備えた、Ｖ字形の切れ込み部６の一方の縁と他方の縁とを係止する、第２の開口部４付近に取り付けられた布製で帯状の係止部材７からなる。第１の開口部３が設けられた端部からカバー本体の全長の２／７の距離ほど離れた位置から、第１の開口部３の端部まで順次細くなっているのは、カバー本体２を二重壁構造とし、その壁間に綿を詰めてカバー本体２の太さを変えているからである。
【００１４】
ここで、カバー本体２は杖を包むことができればどのような材質のものでもよく、例えばプラスティック製若しくはゴム製でもよい。また、カバー本体２の表面の柄は、杖を包むことができればどのような柄でもよく、例えば花柄、チェック柄、水玉柄、ストライプ柄、ボーダ柄等であってもよい。更に、カバー本体２が蛍光色を有していれば、夜間の外出時において目立ちやすくなる。
また、杖をカバーで包んだときに、杖とカバーが傘のように見えるのであれば、第１の開口部３が設けられた端部からカバー本体の全長の２／７の距離ほど離れた位置からでなくてもよく、例えば第２の開口部４に更に近い位置から第１の開口部３まで順次細くなっていてもよい。また、杖とカバーが傘のように見えるのであれば、第１の開口部３まで順次細くなっていると共に第２の開口部４まで順次細くなっていてもよく、また、それぞれ別の位置から第１の開口部３及び第２の開口部４まで順次細くなっていてもよい。
更に、杖をカバーで包んだときに、杖とカバーが傘のように見えるのであれば、カバー本体２の二重壁間に詰めるものは綿でなくてもよく、例えばスポンジでもよいし、また、カバー本体２を二重壁構造としなくてもよく、例えば太くする箇所には、細くする箇所よりも多く布等を重ねていてもよい。
【００１５】
ここで、第２の開口部４の縁にはひだ状部材５が取り付けられているが、第２の開口部４の縁に取り付けられて杖を飾り立てることができればどのようなものでもよく、例えば蛇腹状の部材や網目状の透かし模様を有する部材でもよい。また、ひだ状部材５は布製であるが、第２の開口部４の縁に取り付けられて杖を飾り立てることができればどのようなものでもよく、例えばプラスティック製若しくはゴム製でもよい。
【００１６】
ここで、切れ込み部６をカバー本体２に設けることにより、杖をカバー本体２に通しやすくなるが、杖をカバー本体２に通すことができれば設けなくてもよい。また、切れ込み部６は、その２つの縁が第２の開口部４から第１の開口部３へ向けて走り、その途中で結合したＶ字形であるが、杖をカバー本体２が包むことができれば、切れ込み部６の２つの縁は第２の開口部４から第１の開口部３へ到達してカバー本体２を縦断し、２つの縁には雄型スライドファスナーと雌型スライドファスナー、雄型面ファスナーと雌型面ファスナー、雄型フックと雌型フック若しくは雄型スナップボタンと雌型スナップボタンをそれぞれ取り付けて、２つの縁を係止してもよい。
【００１７】
ここで、係止部材７は、切れ込み部６の一方の縁と他方の縁とを係止して、カバー本体２に包まれた杖が切れ込み部６へ傾くことを抑えているが、杖がカバー本体２に包まれていれば、係止部材７はカバー本体２に取り付けなくてもよい。また、切れ込み部６の一方の縁と他方の縁とを係止できれば、係止部材７はどのような材質でもよく、例えばプラスティック製若しくはゴム製でもよい。更に、係止部材７の一端に雄型スナップボタンを、他端に雌型スナップボタンをそれぞれ取り付けているが、係止部材７の両端を互いに係止できればどのような係止具でもよく、例えば雄型面ファスナーと雌型面ファスナー、若しくは雄型フックと雌型フックを取り付けてもよい。
【００１８】
図３は、本発明を適用した杖カバーの使用態様の一例を示す概略図である。杖カバー１の第２の開口部の直径は第１の開口部の直径よりも大きく、第２の開口部の縁にはひだ状部材５が取り付けられており、杖８の上端の握り部９がひだ状部材５に隣接しており、一方、杖８の下端の滑り止め部材１０は、杖カバー１の第１の開口部に隣接しており、杖８の軸部は杖カバーで包まれている。すなわち、杖の握り部と滑り止め部材以外は杖カバーによってすっかり包まれている。杖カバー１で杖８を包むことで杖が杖カバーによって装飾され、杖とカバーが一体となったように見えると共に、握り部９が傘の手元のように見え、ひだ状部材５が傘の露先のように見えて全体として傘の様相を呈する。
【図面の簡単な説明】
【００１９】
【図１】杖を包む従来の杖カバーの概略断面図である。
【図２】本発明を適用した杖カバーの概略斜視図である。
【図３】本発明を適用した杖カバーの使用態様の一例を示す概略図である。
【符号の説明】
【００２０】
１    杖カバー
２    カバー本体
３    第１の開口部
４    第２の開口部
５    ひだ状部材
６    切れ込み部
７    係止部材
７ａ    雄型スナップボタン
７ｂ    雌型スナップボタン
８    杖
９    握り部
１０    滑り止め部材
【図１】
2007117100.tif 000003
【図２】
2007117100.tif 000004
【図３】
2007117100.tif 000005